(57)【要約】  ＲＦＩＤ（無線識別）要素およびＥＡＳ（電子商品監視）要素、またはＥＡＳ要素を伴わない複数のＲＦＩＤ要素、またはＲＦＩＤ要素を伴わない複数のＥＡＳ要素の組み合わせを含む、再使用可能な識別タグについて、１つの検出区域から他の検出区域へ再使用可能なタグが移動するにつれて、このタグが、追跡可能、および／またはアラームを作動可能、および／またはデータベースへのデータ送信が可能なように、複数の検出区域に対応する複数の要素を内部に有する再使用可能な識別タグを、追跡し、または検出する。
2007504572.tif 000002
【特許請求の範囲】
【請求項１】
商品と共に使用するよう適合された識別タグであって、少なくとも１つの電子商品監視（ＥＡＳ）要素と少なくとも１つの無線識別（ＲＦＩＤ）要素とを含むハウジングを備え、前記少なくとも１つのＥＡＳ要素は、第１ＥＡＳ周波数帯域内の周波数の電磁場に晒されると第１検出可能信号を放出し、前記少なくとも１つのＲＦＩＤ要素は、第１ＲＦＩＤ周波数帯域内の周波数の電磁場に晒されると第２検出可能信号を放出する、ことを特徴とする識別タグ。
【請求項２】
前記第１ＲＦＩＤ周波数帯域が、およそ２ＭＨｚ〜１４ＭＨｚであることを特徴とする請求項１の識別タグ。
【請求項３】
前記第１ＲＦＩＤ周波数帯域が、およそ８５０ＭＨｚ〜９５０ＭＨｚであることを特徴とする請求項１の識別タグ。
【請求項４】
前記第１ＲＦＩＤ周波数帯域が、およそ２．３ＧＨｚ〜２．６ＧＨｚであることを特徴とする請求項１の識別タグ。
【請求項５】
前記第１ＥＡＳ周波数帯域が、およそ２ＭＨｚ〜１４ＭＨｚであることを特徴とする請求項１の識別タグ。
【請求項６】
前記第１ＥＡＳ周波数帯域が、およそ５０ｋＨｚ〜７０ｋＨｚであることを特徴とする請求項１の識別タグ。
【請求項７】
前記第１ＥＡＳ周波数帯域が、およそ５ｋＨｚ〜１４ｋＨｚであることを特徴とする請求項１の識別タグ。
【請求項８】
前記少なくとも１つのＲＦＩＤ要素が、商品に関連する情報を含むメモリを含み且つ共振回路またはアンテナに結合されたＲＦＩＤ集積回路を備えていることを特徴とする請求項１の識別タグ。
【請求項９】
前記第２検出可能信号が、商品と関連する前記情報を含んでいることを特徴とする請求項８の識別タグ。
【請求項１０】
前記アンテナが、ダイポールアンテナを備えていることを特徴とする請求項８の識別タグ。
【請求項１１】
前記共振回路が、コイルおよびコンデンサーを備えていることを特徴とする請求項８の識別タグ。
【請求項１２】
前記少なくとも１つのＥＡＳ要素が、コイルおよびコンデンサーを備えていることを特徴とする請求項５の識別タグ。
【請求項１３】
前記少なくとも１つのＥＡＳ要素が、音響磁気（ＡＭ）要素を備えていることを特徴とする請求項６の識別タグ。
【請求項１４】
前記少なくとも１つのＥＡＳ要素が、低周波数要素を備えていることを特徴とする請求項７の識別タグ。
【請求項１５】
前記ハウジングが、
取り外し可能部分と；
リリース可能な形で前記ハウジングと前記取り外し可能部分を一緒に固定し、識別タグを商品に固定する、リリース可能固定機構と、
を更に備えていることを特徴とする請求項１の識別タグ。
【請求項１６】
前記少なくとも１つのＥＡＳ要素と前記少なくとも１つのＲＦＩＤ要素とが、互いに対して同心円状に位置決めされていることを特徴とする請求項１０の識別タグ。
【請求項１７】
商品と共に使用されるよう適合された識別タグであって：
各々が商品に関連する情報を含むメモリを含むＲＦＩＤ集積回路を有する少なくとも２つの無線識別（ＲＦＩＤ）要素であって、前記対の各々の１つがそれぞれのＲＦ周波数に調整された共振回路またはアンテナを有するＲＦＩＤ要素を含むハウジングを備え；
前記ＲＦＩＤ要素の各々は、前記それぞれのＲＦ周波数の１つに一致するそれぞれの電磁場に晒されると、それぞれの検出可能信号を放出する、
ことを特徴とする識別タグ。
【請求項１８】
前記それぞれのＲＦ周波数の各々の１つが、異なるグループのＲＦ周波数から選択されており、前記異なるグループのＲＦ周波数は、およそ２ＭＨｚ〜１４ＭＨｚとして定義される第１グループ、およそ８５０ＭＨｚ〜９５０ＭＨｚとして定義される第２グループ；および、およそ２．３ＧＨｚ〜２．６ＧＨｚとして定義される第３グループを含んでいることを特徴とする請求項１７の識別タグ。
【請求項１９】
前記それぞれの検出可能信号の各々が、商品に関連する前記情報を含んでいることを特徴とする請求項１８の識別タグ。
【請求項２０】
前記ハウジングが、
取り外し可能部分と；
リリース可能な形で前記ハウジングと前記取り外し可能部分を一緒に固定し、前記識別タグを商品に固定する、リリース可能固定機構と、
を更に備えていることを特徴とする請求項１７の識別タグ。
【請求項２１】
商品と共に使用するよう適合された識別タグであって：
無線識別（ＲＦＩＤ）要素であって、第１ＲＦ周波数に調整された共振回路、または前記第１ＲＦ周波数と異なる第２ＲＦ周波数に調整されたアンテナのいずれかを含んでおり、商品に関連する情報を含むメモリを有する集積回路を備えたＲＦＩＤ要素と；
取り外し可能部分と；
リリース可能な形で前記ハウジングと前記取り外し可能部分を一緒に固定し、前記識別タグを商品に固定する、リリース可能な固定機構と；を備え、さらに、
前記ＲＦＩＤ要素は、前記第１または第２ＲＦ周波数に一致する電磁場に晒されるとそれぞれの検出可能信号を放出し、前記それぞれの検出可能信号は商品に関する前記情報を含んでいる、
ことを特徴とする識別タグ。
【請求項２２】
前記ＲＦＩＤ共振回路が、およそ２ＭＨｚ〜１４ＭＨｚの周波数に調整されていることを特徴とする請求項２１の識別タグ。
【請求項２３】
前記ＲＦＩＤアンテナが、およそ８５０ＭＨｚ〜９５０ＭＨｚの周波数に調整されたダイポールアンテナであることを特徴とする請求項２１の識別タグ。
【請求項２４】
前記ＲＦＩＤアンテナが、およそ２．３ＧＨｚ〜２．６Ｇｈｚの周波数に調整されたダイポールアンテナであることを特徴とする請求項２１の識別タグ。
【請求項２５】
商品と共に使用するよう適合された識別タグであって：少なくとも２つの電子商品監視（ＥＡＳ）要素を含むハウジングを備え、各ＥＡＳ要素はそれぞれのＥＡＳ周波数に調整されており、前記ＥＡＳ要素の各々は、前記それぞれのＥＡＳ周波数の１つに一致するそれぞれの電磁場に晒されると、それぞれの検出可能信号を放出する、ことを特徴とする識別タグ。
【請求項２６】
前記それぞれのＥＡＳ周波数の各々の１つが、異なるグループのＥＡＳ周波数から選択され、前記異なるグループのＥＡＳ周波数は、およそ２ＭＨｚ〜１４ＭＨｚとして定義される第１グループ、およそ５０ｋＨｚ〜７０ｋＨｚとして定義される第２グループおよび、およそ５ｋＨｚ〜１４ｋＨｚとして定義される第３グループを含んでいる、ことを特徴とする請求項２５の識別タグ。
【請求項２７】
前記少なくとも２つのＥＡＳ要素のうちの１つが、前記第１グループ内のＥＡＳ周波数に調整された共振回路を含んでいることを特徴とする請求項２６の識別タグ。
【請求項２８】
前記少なくとも２つのＥＡＳ要素が、音響磁気（ＡＭ）の要素を含んでおり、ここで、前記ＡＭ要素が第２グループ内のＥＡＳ周波数に調整されていることを特徴とする請求項２６の識別タグ。
【請求項２９】
前記少なくとも２つのＥＡＳ要素が、低周波数（ＬＦ）要素を含んでおり、ここで、前記ＬＦ要素が第３グループ内のＥＡＳ周波数に調整されていることを特徴とする請求項２６の識別タグ。
【請求項３０】
前記ハウジングが、
取り外し可能部分と；
リリース可能な形で前記ハウジングと前記取り外し可能部分を一緒に固定し、前記識別タグを商品に固定する、リリース可能な固定機構と、
を更に備えていることを特徴とする請求項２５の識別タグ。
【請求項３１】
環境内の再使用可能な識別タグを検出するシステムであって：
それぞれの周波数に調整された少なくとも２つの要素を有する少なくとも１つの再使用可能な識別タグであって、商品に結合されており、前記第１要素は第１周波数の電磁場に晒されると第１検出可能信号を放出し、前記第２要素は、前記第１周波数と異なる第２周波数の電磁場に晒されると第２検出可能信号を放出する、少なくとも１つの再使用可能な識別タグと；
前記第１周波数の電磁場を放出する第１送信機を少なくとも備えた環境内部の第１検出区域であって、前記第１検出区域に前記少なくとも１つの再使用可能な識別タグが存在していると、前記第１検出可能信号を検出する第１受信機を少なくとも含み、前記第１受信機はアラームまたはデータベースへ結合されている、環境内部の第１検出区域と；
前記第２周波数の電磁場を放出する第２送信機を少なくとも備えた環境内部の第２検出区域であって、前記第２検出区域に前記少なくとも１つの再使用可能な識別タグが存在していると、前記第２検出可能信号を検出する第２受信機を少なくとも含み、前記第２受信機はアラームまたはデータベースに結合されている、環境内部の第１検出区域と、
を備えていることを特徴とするシステム。
【請求項３２】
前記第１周波数が、およそ２ＭＨｚ〜１４ＭＨｚの周波数であることを特徴とする請求項３１のシステム。
【請求項３３】
前記第１周波数が、およそ８５０ＭＨｚ〜９５０ＭＨｚの周波数であることを特徴とする請求項３１のシステム。
【請求項３４】
前記第１周波数が、およそ２．３ＧＨｚ〜２．６Ｇｈｚの周波数であることを特徴とする請求項３１のシステム。
【請求項３５】
前記第１周波数が、およそ５０ｋＨｚ〜７０ｋＨｚの周波数であることを特徴とする請求項３１のシステム。
【請求項３６】
前記第１周波数が、およそ５ｋＨｚ〜１４ｋＨｚの周波数であることを特徴とする請求項３１のシステム。
【請求項３７】
前記第２周波数が、およそ２ＭＨｚ〜１４ＭＨｚの周波数であることを特徴とする請求項３１のシステム。
【請求項３８】
前記第２周波数が、およそ８５０ＭＨｚ〜９５０ＭＨｚの周波数であることを特徴とする請求項３１のシステム。
【請求項３９】
前記第２周波数が、およそ２．３ＧＨｚ〜２．６ＧＨｚの周波数であることを特徴とする請求項３１のシステム。
【請求項４０】
前記第２周波数が、およそ５０ｋＨｚ〜７０ｋＨｚの周波数であることを特徴とする請求項３１のシステム。
【請求項４１】
前記第２周波数が、およそ５ｋＨｚ〜１４ｋＨｚの周波数であることを特徴とする請求項３１のシステム。
【請求項４２】
前記少なくとも２つの要素が、各々が商品に関連する情報を含むメモリを備えたＲＦＩＤ集積回路を有する１対の無線識別（ＲＦＩＤ）要素を含んでいてもよく、前記対のＲＦＩＤ要素のうちの一方が、前記第１周波数に調整されたそれぞれの共振回路またはアンテナを備えており、前記対のＲＦＩＤ要素のうちの他方が、前記第２周波数に調整されたそれぞれの共振回路またはアンテナを備えていることを特徴とする請求項３１のシステム。
【請求項４３】
前記少なくとも２つの要素が１対の電子商品監視（ＥＡＳ）要素を含んでいてもよく、前記対のＥＡＳ要素の一方が前記第１周波数に調整され、前記対のＥＡＳ要素の他方が前記第２周波数に調整されていることを特徴とする請求項３１のシステム。
【請求項４４】
前記少なくとも２つの要素が、１つの無線識別（ＲＦＩＤ）要素および１つの電子商品監視（ＥＡＳ）要素を含んでいてもよく、前記ＲＦＩＤ要素は、商品に関連する情報を含むメモリを包括するＲＦＩＤ集積回路を備えており、前記第１周波数に調整された共振回路またはアンテナをさらに備え、前記ＥＡＳ要素が前記第２周波数に調整されていることを特徴とする請求項３１のシステム。
【請求項４５】
再使用可能な識別タグの検出方法であって：
それぞれの周波数に調整された少なくとも２つの要素を有する、少なくとも１つの再使用可能な識別タグを提供するステップであって、前記少なくとも１つの再使用可能な識別タグは商品に結合されており、前記第１要素は第１周波数の電磁場に晒されると第１検出可能信号を放出し、前記第２要素は前記第１周波数と異なる第２周波数の電磁場に晒されると第２検出可能信号を放出する、ステップと、；
前記少なくとも１つの再使用可能な識別タグが第１検出区域に存在し、さらに、少なくとも第１送信機が前記第１検出区域内で前記第１周波数の電磁場を放出する場合に、前記第１検出可能信号を放出するときはいつでも、少なくとも第１受信機により、前記第１検出可能信号を検出するステップと；
前記第１検出可能信号が検出されると、前記第１受信機によりアラームを作動させるか、または、状態信号あるいはデータを前記第１受信機からデータベースへ送信するステップと；
前記少なくとも１つの再使用可能な識別タグが第２検出区域に存在し、さらに、少なくとも第２送信機が前記第２検出区域内で前記第２周波数の電磁場を放出する場合に、前記第２検出可能信号を放出するときはいつでも、少なくとも第２受信機により、前記第２検出可能信号を検出するステップ；および、
前記第２検出可能信号が検出されると、前記第２受信機により前記アラームを作動させ、または、状態信号あるいはデータを前記第２受信機から前記データベースへ送信するステップ、
を備えることを特徴とする方法。
【請求項４６】
前記第１周波数が、およそ２ＭＨｚ〜１４ＭＨｚの周波数であることを特徴とする請求項４５の方法。
【請求項４７】
前記第１周波数が、およそ８５０ＭＨｚ〜９５０ＭＨｚの周波数であることを特徴とする請求項４５の方法。
【請求項４８】
前記第１周波数が、およそ２．３ＧＨｚ〜２．６ＧＨｚの周波数であることを特徴とする請求項４５の方法。
【請求項４９】
前記第１周波数が、およそ５０ｋＨｚ〜７０ｋＨｚの周波数であることを特徴とする請求項４５の方法。
【請求項５０】
前記第１周波数が、およそ５ｋＨｚ〜１４ｋＨｚの周波数であることを特徴とする請求項４５の方法。
【請求項５１】
前記第２周波数が、およそ２ＭＨｚ〜１４ＭＨｚの周波数であることを特徴とする請求項４５の方法。
【請求項５２】
前記第２周波数が、およそ８５０ＭＨｚ〜９５０ＭＨｚの周波数であることを特徴とする請求項４５の方法。
【請求項５３】
前記第２周波数が、およそ２．３ＧＨｚ〜２．６Ｇｈｚの周波数であることを特徴とする請求項４５の方法。
【請求項５４】
前記第２周波数が、およそ５０ｋＨｚ〜７０ｋＨｚの周波数であることを特徴とする請求項４５の方法。
【請求項５５】
前記第２周波数が、およそ５ｋＨｚ〜１４ｋＨｚの周波数であることを特徴とする請求項４５の方法。
【請求項５６】
前記少なくとも２つの要素が、各々が商品に関連する情報を含むメモリを備えたＲＦＩＤ集積回路を有する１対の無線識別（ＲＦＩＤ）要素を含んでいてもよく、前記対のＲＦＩＤ要素のうちの一方が、前記第１周波数に調整されたそれぞれの共振回路またはアンテナを備えており、前記対のＲＦＩＤ要素のうちの他方が、前記第２周波数に調整されたそれぞれの共振回路またはアンテナを備えている、ことを特徴とする請求項４５の方法。
【請求項５７】
前記少なくとも２つの要素が１対の電子商品監視（ＥＡＳ）要素を含んでいてもよく、前記対のＥＡＳ要素の一方が前記第１周波数に調整され前記対のＥＡＳ要素の他方が前記第２周波数に調整されている、ことを特徴とする請求項４５の方法。
【請求項５８】
前記少なくとも２つの要素が、１つの無線識別（ＲＦＩＤ）要素および１つの電子商品監視（ＥＡＳ）要素を備えており、前記ＲＦＩＤ要素は、商品に関連する情報を含むメモリを備えたＲＦＩＤ集積回路を有し、さらに前記第１周波数に調整された共振回路またはアンテナを備え、前記ＥＡＳ要素が前記第２周波数に調整されている、ことを特徴とする請求項４５の方法。
【請求項５９】
少なくとも２つの環境内の再使用可能な識別タグを検出するシステムであって：
それぞれの周波数に調整された少なくとも２つの要素を有する、少なくとも１つの再使用可能な識別タグであって、商品に結合されており、前記第１要素は第１周波数の電磁場に晒されると第１検出可能信号を放出し、前記第２要素は前記第１周波数と異なる第２周波数の電磁場に晒されると第２検出可能信号を放出する、少なくとも１つの再使用可能な識別タグと；
前記第１周波数の電磁場を放出する第１送信機を少なくとも備えた環境内部の第１検出区域であって、前記第１検出区域に前記少なくとも１つの再使用可能な識別タグが存在していると、前記第１検出可能信号を検出する第１受信機を少なくとも有し、前記第１受信機はアラームまたはデータベースへ結合されている、環境内部の第１検出区域と；
前記第２周波数の電磁場を放出する第２送信機を少なくとも備えた環境内部の第２検出区域であって、前記第２検出区域に前記少なくとも１つの再使用可能な識別タグが存在していると、前記第２検出可能信号を検出する第２受信機を少なくとも有し、前記第２受信機はアラームまたはデータベースに結合されている、環境内部の第１検出区域と、
を備えていることを特徴とするシステム。
【請求項６０】
前記第１環境が動作周波数を有する第３検出区域を有しており、前記少なくとも１つの再使用可能な識別タグが前記動作周波数に調整された第３要素を備えている、ことを特徴とする請求項５９のシステム。
【請求項６１】
前記第２環境が他の動作周波数を有する第４検出区域を有しており、前記少なくとも１つの再使用可能な識別タグが前記他の動作周波数に調整された第４要素を備えている、ことを特徴とする請求項６０のシステム。
【請求項６２】
少なくとも２つの環境で再使用可能な識別タグを検出する方法であって：
それぞれの周波数に調整された少なくとも２つの要素を有する、少なくとも１つの再使用可能な識別タグを提供するステップであって、前記少なくとも１つの再使用可能な識別タグは商品に結合されており、前記第１要素は第１周波数の電磁場に晒されると第１検出可能信号を放出し、前記第２要素は前記第１周波数と異なる第２周波数の電磁場に晒されると、第２検出可能信号を放出する、ステップと；
前記少なくとも１つの再使用可能な識別タグが第１環境の第１検出区域に存在し、さらに、少なくとも第１送信機が前記第１検出区域内で前記第１周波数の電磁場を放出する場合に、前記第１検出可能信号を放出するときはいつでも、少なくとも第１受信機により、前記第１検出可能信号を検出するステップと；
前記第１検出可能信号が検出されると、前記第１受信機によりアラームを作動させるか、または、状態信号あるいはデータを前記第１受信機からデータベースへ送信するステップと；
前記少なくとも１つの再使用可能な識別タグが第２環境内の第２検出区域に存在し、さらに、少なくとも第２送信機が前記第２検出区域内で前記第２周波数の電磁場を放出する場合に、前記第２検出可能信号を放出するときはいつでも、少なくとも第２受信機により、前記第２検出可能信号を検出するステップと；および、
前記第２検出可能信号が検出されると、前記第２受信機により前記アラームを作動させるか、または、状態信号あるいはデータを前記第２受信機から前記データベースへ送信するステップと、
を備えることを特徴とする方法。
【請求項６３】
前記第１環境が動作周波数を有する第３検出区域を有しており、前記少なくとも１つの再使用可能な識別タグが前記動作周波数に調整された第３要素を備えている、ことを特徴とする請求項６２の方法。
【請求項６４】
前記第２環境が他の動作周波数を有する第４検出区域を有しており、前記少なくとも１つの再使用可能な識別タグが前記他の動作周波数に調整された第４要素を備えている、ことを特徴とする請求項６２の方法。
【請求項６５】
それぞれの周波数に調整された少なくとも１つの送信機／受信機の対を有する、少なくとも１つの環境での使用のための、各々がそれぞれの周波数に調整された、複数の要素を含む識別タグであって、前記少なくとも１つの送信機／受信機の対の周波数に調整された、少なくとも１つの要素を備えている、ことを特徴とする識別タグ。
【発明の詳細な説明】
【発明の詳細な説明】
【０００１】
（技術分野）
本発明は、概略的に言えば識別タグに関し、特に、複数の区域検出システム／方法において用いられる、再使用可能な識別タグ内のタグ検出用ＲＦＩＤ要素およびＥＡＳ要素、単一もしくは複数のＲＦＩＤ要素、または複数のＥＡＳ要素の異なる組み合わせを用いる、再利用可能な識別タグに関する。
（関連技術）
【０００２】
電子商品監視（ＥＡＳ）産業では、「ハードタグ」は、他の製品上で再使用するために、例えば、販売時点での製品などの商品から取り外す予定の、再使用可能なタグを指している。ハードタグは、通常、射出成形された外部ケーシングを有している。このタイプのタグは、通常、アパレル産業で使われている。ほんの一例であるが、ＥＡＳハードタグの１つのタイプには、ニュージャージー州ソロフェアのチェックポイントシステムズ（Ｃｈｅｃｋｐｏｉｎｔ  Ｓｙｓｔｅｍｓ）社から市販されており、その外観からＵＦＯスタイルと呼ばれているものがあり、またｗｗｗ．ｃｈｅｃｋｐｏｉｎｔｓｙｓｔｅｍｓ．ｃｏｍ／ｃｏｎｔｅｎｔ／ｅａｓ／ｒｅｕｓａｂｌｅ．ａｓｐｘで見られるように、他のスタイルのみならずミニＵＦＯスタイルで利用可能なものがある。
【０００３】
基本的に、ＵＦＯスタイルのハードタグ１は、ＥＡＳ要素（例えば、コンデンサーに結合されたコイルを含む共振回路）を含むハウジングＨを含んでいる。ＥＡＳ要素は所定周波数、例えば、８．２ＭＨｚに調整されている。加えて、ハードタグ１は、ヘッド５およびピン６を含む取り外し可能部分４をさらに含んでいる。ハードタグ１を商品Ａへ固定するために、ピン６の尖った自由端が、商品Ａを貫いて、ロック機構（図示せず）を含んでいるハウジングＨ内の通路（図示せず）内まで至っており、そのため、誰かが、取り外し可能部分４をハウジングＨから取り外し、商品Ａをリリースすることは、ほとんど不可能である。購入することなく（ハードタグ１が取り付けられた）商品Ａを店から持ち出そうとして、ＥＡＳ要素と同じ周波数に調整された（例えば、店の出口の台座に配置された）送信機８により生成された監視フィールド７を、商品Ａ／ハードタグ１の組み合わせが通過すると、ＥＡＳ要素が共振し、それにより、（同じく、店の出口の台座に配置された）受信機９により検出可能な出力信号が提供され、これが順にアラームを引き起こすことになる。他方、商品が適切に購入されると、ＵＦＯスタイルハードタグ１は、レジ係がピン６をロック機構から取り外し可能にする磁気取外し装置にかけられ、それにより、取り外し可能部分４がハウジングからリリースされ、商品Ａはタグ１を有していないことになる。ＵＦＯスタイルハードタグ１は、その後、他の販売商品へ固定され、それによって再使用されることができる。
【０００４】
また、ＲＦＩＤ（無線識別）タグを使用する無線識別タグ産業は、成長傾向にある。ＲＦＩＤタグ１０（図３参照）は、基本的に、集積回路ＩＣおよび所定のＲＦ周波数に調整されたＲＦＩＤＬＣ回路／アンテナ１２（例えば、図３Ａに示したような共振回路、または図３Ｂに示したようなアンテナ）により形成されたＲＦＩＤ要素を含んでいる。集積回路ＩＣは、商品に関する情報（例えば、シリアルナンバー、固有識別番号、価格などの製品ＩＤ情報）によりプログラムされたメモリＭを含んでいる。ほんの一例であるが、図３Ａに示したように、ＲＦＩＤ  ＬＣ回路は、参照により全ての開示が本願明細書に組み込まれる、米国特許第６，０２５，７８０号（バワーズ他）に示されているものと同様であってもよい；または、やはりほんの一例であるが、図３Ｂに示したように、ＲＦＩＤアンテナは、ダイポールアンテナを含んでいてもよい。送信機が、調整されたタグアンテナにより受信される所定のＲＦ周波数で信号を送信すると、タグ１０は、その後受信機により受信される格納された情報、およびタグの送信信号から復調される情報を含む信号を送信する。この情報は、その後、特に、アラームを引き起こすか否かの決定に使用することができる。図３は、ＲＦＩＤタグ１０から情報を得る、送信機および受信機を含むリーダ１４を表している。
【０００５】
しかしながら、ＲＦＩＤ能力をＥＡＳハードタグへ提供し、同様に、複数の区域検出構成で用いるために、複数のＲＦＩＤ能力または複数のＥＡＳ能力をＥＡＳハードタグへ提供する必要性が残っている。本発明は、ＲＦＩＤ能力、またはＥＡＳ能力のないＲＦＩＤ（複数のＲＦＩＤでもよい）能力、または複数のＥＡＳ能力を、ＥＡＳハードタグへ提供することにより、さらに、これらのタイプのタグを用いる複数の区域検出システムを実装したシステム／方法を提供することにより、これらの必要性を実現させている。
【０００６】
本願明細書で引用される全ての引用物は、参照することによりその全体が本願明細書に組み込まれる。
（発明の概要）
【０００７】
識別タグは商品と共に使われるよう適合されており、この識別タグは以下を含んでいる：少なくとも１つの電子商品監視（ＥＡＳ）要素および少なくとも１つの無線識別（ＲＦＩＤ）要素を含むハウジング、ここで、少なくとも１つのＥＡＳ要素（例えば、共振回路、音響磁気要素、低周波要素など）は、第１ＥＡＳ周波数帯域（例えば、５ｋＨｚ〜１４ｋＨｚ；または５０ｋＨｚ〜７０ｋＨｚ；または２ＭＨｚ〜１４ＭＨｚ）内の周波数の電磁場に晒されると、第１検出可能信号を放出し、さらに、少なくとも１つのＲＦＩＤ要素は、第１ＲＦＩＤ周波数帯域（例えば、２ＭＨｚ〜１４ＭＨｚ；または８５０ＭＨｚ〜９５０ＭＨｚ；または２．３ギガヘルツ〜２．６ギガヘルツ）内の周波数の電磁場に晒されると、第２検出可能信号を放出する。
【０００８】
商品と一緒に使用されるよう適合された識別タグであって、この識別タグは以下を含んでいる：各々が商品に関連する情報を含むメモリを含むＲＦＩＤ集積回路を有する、少なくとも２つの無線識別（ＲＦＩＤ）要素を含んでいるハウジング、ここで、ＲＦＩＤ要素の対の各々が、それぞれのＲＦ周波数に調整された、共振回路（例えば、ＬＣ回路）、またはアンテナ（例えば、ダイポールアンテナ）を含んでおり；さらに、各々のＲＦＩＤ要素が、それぞれのＲＦ周波数の１つに一致するそれぞれの電磁場に晒されると、それぞれの検出可能信号を放出する。
【０００９】
商品と一緒に使用されるよう適合された識別タグであって、この識別タグは以下を含んでいる：以下を含むハウジング：無線識別（ＲＦＩＤ）要素、ここで、ＲＦＩＤ要素は、第１ＲＦ周波数に調整された共振回路、または第１ＲＦ周波数と異なる第２ＲＦ周波数に調整されたアンテナのいずれかを含んでおり、さらに、ＲＦＩＤ要素は、商品に関連する情報を含むメモリを含む集積回路を含んでいる；取り外し可能部分；リリース可能な形でハウジングと取り外し可能部分を一緒に固定し、識別タグを商品に固定する、取り外し可能な固定機構（例えば、スプリング入りの、ボール／クラッチロック装置）；さらに、ＲＦＩＤ要素は、第１または第２ＲＦ周波数に一致する電磁場に晒されると、それぞれの検出可能信号を放出し、それぞれの検出可能信号は、商品に関する情報を含んでいる。
【００１０】
商品と一緒に使用するよう適合された識別タグであって、この識別タグは：少なくとも２つの電子商品監視（ＥＡＳ）要素を含むハウジングであって、各ＥＡＳ要素はそれぞれのＥＡＳ周波数に調整されている、ハウジングを備え；そして、ＥＡＳ要素の各々は、それぞれのＥＡＳ周波数の１つに一致するそれぞれの電磁場に晒されると、それぞれの検出可能信号を放出する。
【００１１】
再使用可能な識別タグを検出するシステム、このシステムは以下を含んでいる：それぞれの周波数に調整された少なくとも２つの要素を有する少なくとも１つの再使用可能な識別タグであって、商品に結合されており、第１要素は第１周波数の電磁場に晒されると第１検出可能信号を放出し、さらに、第２要素は、第１周波数と異なる第２周波数の電磁場に晒されると、第２検出可能信号を放出する、少なくとも１つの再使用可能な識別タグと；第１周波数の電磁場を放出する少なくとも第１受信機を含む第１検出区域であって、第１検出区域に少なくとも１つの再使用可能な識別タグが存在していると、第１検出可能信号を検出し、ここで、第１受信機はアラームまたはデータベースへ結合されている、第１検出区域と；および、第２周波数の電磁場を放出する少なくとも第２送信機を含む第２検出区域であって、第２検出区域に少なくとも１つの再使用可能な識別タグが存在していると、第２検出可能信号を検出し、ここで、第２受信機はアラームまたはデータベースへ結合されている、第２検出区域。
【００１２】
再使用可能な識別タグの検出方法であって、この方法は以下のステップを含んでいる：それぞれの周波数に調整された少なくとも２つの要素を有する、少なくとも１つの再使用可能な識別タグを提供すること、ここで、少なくとも１つの再使用可能な識別タグは商品に結合されており、また、第１要素は、第１周波数の電磁場に晒されると、第１検出可能信号を放出し、さらに、第２要素は、第１周波数と異なる第２周波数の電磁場に晒されると、第２検出可能信号を放出する；少なくとも１つの再使用可能な識別タグが第１検出区域に存在し、さらに、少なくとも第１送信機が第１検出区域内で第１周波数の電磁場を放出する場合に、第１検出可能信号を放出するときはいつでも、少なくとも第１受信機により第１検出可能信号を検出すること；第１検出可能信号が検出されると、第１受信機によりアラームを作動させ、または、状態信号またはデータを第１受信機からデータベースへ送信すること；少なくとも１つの再使用可能な識別タグが第２検出区域に存在し、さらに、少なくとも第２送信機が第２検出区域内で第２周波数の電磁場を放出する場合に、第２検出可能信号を放出するときはいつでも、少なくとも第２受信機により第２検出可能信号を検出すること；および、第２検出可能信号が検出されると、第２受信機によりアラームを作動させ、または、状態信号またはデータを第２受信機からデータベースへ送信すること。
【００１３】
少なくとも２つの環境（例えば、第１小売環境と第２小売環境、倉庫など）で再使用可能な識別タグを検出するシステムであって、このシステムは以下を含んでいる：それぞれの周波数に調整された、少なくとも２つの要素を有する、少なくとも１つの再使用可能な識別タグであって、ここで、少なくとも１つの再使用可能な識別タグは商品に結合されており、第１要素は第１周波数の電磁場に晒されると第１検出可能な信号を放出し、さらに、第２要素は第１周波数と異なる第２周波数の電磁場に晒されると第２検出可能信号を放出する；少なくとも第１周波数の電磁場を放出する第１送信機、および、少なくとも１つの再使用可能な識別タグが第１検出区域に存在していると、第１検出可能信号を検出する第１受信機を含む、第１環境内の第１検出区域、ここで、第１受信機は、アラームまたはデータベースと結合されている；および、少なくとも第２周波数の電磁場を放出する第２送信機、および、少なくとも１つの再使用可能な識別タグが第２検出区域に存在していると、少なくとも第２検出可能信号を検出する第２受信機を含む、第２環境内の第２検出区域、ここで、第２受信機は、アラームまたはデータベースと結合されている。
【００１４】
少なくとも２つの環境（例えば、小売環境、倉庫、複数の小売環境、または倉庫など）で再使用可能な識別タグの検出方法であって、この方法は以下のステップを含んでいる：それぞれの周波数に調整された少なくとも２つの要素を有する、少なくとも１つの再使用可能な識別タグを提供するステップであって、ここで、少なくとも１つの再使用可能な識別タグは商品に結合されており、第１要素は、第１周波数の電磁場に晒されると、第１検出可能な信号を放出し、さらに、第２要素は、第１周波数と異なる第２周波数の電磁場に晒されると、第２検出可能信号を放出する、ステップと；少なくとも１つの再使用可能な識別タグが第１環境の第１検出区域に存在し、さらに、少なくとも第１送信機が第１検出区域内で第１周波数の電磁場を放出する場合に、第１検出可能信号を放出するときはいつでも、少なくとも第１受信機により第１検出可能信号を検出するステップと；第１検出可能信号が検出されると、第１受信機によりアラームを作動させ、または、状態信号またはデータを第１受信機からデータベースへ送信するステップと；少なくとも１つの再使用可能な識別タグが第２環境内の第２検出区域にあり、さらに、少なくとも第２受信機が第２検出区域内で第２周波数の電磁場を放出する場合に、第２検出可能信号を放出するときはいつでも、少なくとも第２受信機により、第２検出可能信号を検出するステップと；および、第２検出可能信号が検出されると、第２受信機によりアラームを作動させ、または、状態信号またはデータを第２受信機からデータベースへ送信するステップ。
【００１５】
それぞれの周波数に調整された少なくとも１つの送信機／受信機を有する、少なくとも１つの環境（例えば、小売環境、倉庫、複数の小売環境または倉庫など）で使用するために、それぞれの周波数に調整された、複数の要素を含む識別タグであって、識別タグは、少なくとも１つの送信機／受信機の対の周波数に調整された、少なくとも１つの要素を含んでいる。
（発明の詳細な説明）
【００１６】
以下の、本発明の好適な実施例の詳細な説明は、添付の図面と関連して読まれることで、より良く理解される。本発明を図解する目的のために、現時点での好適な実施例を示した図面が示されている。しかしながら、本発明が、図示された厳密な配置および手段に限定されないことが理解されるべきである。
【００１７】
本願明細書で使われている特定の用語は、便宜的なものに過ぎず、本発明を限定するものとして使われてはいない。図面では、同じ参照文字は、複数の図を通して同一要素を指すために使われている。
【００１８】
後で詳細に議論するように、本発明のハードタグ２０は、ＥＡＳ要素とＲＦＩＤ要素の様々な組み合わせを含んでいてもよい。したがって、図４に示したように、第１要素Ｅ１は、例えばＥＡＳ要素を含んでいてもよく、第２要素Ｅ２はＲＦＩＤ要素を含んでいてもよい。代替的に、第１要素Ｅ１および第２要素Ｅ２がＥＡＳ要素だけを含んでいてもよく、または双方がＲＦＩＤ要素のみを含んでいてもよく、または、ＥＡＳ要素とＲＦＩＤ要素の任意の組み合わせ（例えば、要素Ｅ３…Ｅｎ）を含んでいてもよい。
【００１９】
ハードタグ２０のＥＡＳ要素は、表１に示す指定ＥＡＳ周波数帯域の何れにおいても動作可能であり、さらに、ＲＦＩＤ要素は、表１に示す指定ＲＦＩＤ周波数帯域の何れにおいても動作可能である：
【表１】
2007504572.tif 000003
【００２０】
例えば、ハードタグ２０は、第１ＥＡＳ要素（Ｅ１）、例えば８．２ＭＨｚに調整された共振ＬＣ回路、および、第２ＥＡＳ要素（Ｅ２）、例えば音響磁気（ＡＭ）共振部材、それに加え、１３．５６ＭＨｚに調整された第１ＲＦＩＤ要素（Ｅ３）および９１５ＭＨｚに調整された第２ＲＦＩＤ要素（Ｅ４）を含んでいてもよい。したがって、それぞれＥＡＳ周波数に調整された１つ以上のＥＡＳ要素と、それぞれＲＦＩＤ要素に調整された１つ以上のＲＦＩＤ周波数との組み合わせを含んでいることは、本発明２０の最も広い範囲内である。
【００２１】
本発明の重要な特色の１つは、ＥＡＳ／ＲＦＩＤ識別ハードタグ２０が、複数（すなわち、少なくとも２つ）の検出区域システム３００で使用可能であることである。ほんの一例として、図４Ａは、内部が２区域検出システム用に構成された環境（例えば、小売店、倉庫、工場など）の平面図を示している：第１検出区域３０２がＲＦＩＤ検出区域を形成し、さらに、第２検出区域３０４がＥＡＳ検出区域を形成する。ＲＦＩＤ検出区域３０２は、その区域３０２（例えば、衣服部門）の内部およびＲＦＩＤ検出区域３０２の周辺へ分布された複数のリーダ１４を含んでいてもよい。したがって、誰かが、タグ付けをされた商品Ａを取り、ＲＦＩＤ検出区域３０２の回りで移動すると、商品Ａは、その区域３０２内で追跡可能であり、さらに、商品Ａがその区域３０２を去ってＥＡＳ検出区域３０４に持ち込まれても、追跡可能である；その後、リーダ１４は、アラームを作動させ、および／または、状態信号またはデータ（例えば、商品識別子、商品位置、商品販売状態などを含む信号またはデータ）をデータベースへ送信することができる。ＥＡＳ区域３０４は、環境に対する出口での商品Ａ上のタグ２０の存在（商品Ａを法的に保有した人物ではなく、商品Ａを購買することなく退去しようとしている人物であるはずである）を検出可能な、送信機８／受信機９の対を含んでいる。受信機９は、その後、アラームを作動させることができる。
【００２２】
図４Ｂは、他の環境（例えば、小売店、倉庫、工場など）のための、他の典型的な複数区域検出構成を提供する。この構成では、（再び、ほんの一例として）４つの検出区域ＤＺ１〜ＤＺ４が存在している。その結果、ＥＡＳ／ＲＦＩＤ識別ハードタグ２０は、対応する数の要素Ｅ１〜Ｅ4を含んでいる。ほんの一例として、検出区域ＤＺ１は、ＥＡＳ検出区域を含んでいてもよく、さらに、検出区域ＤＺ２〜ＤＺ４は、各ＲＦＩＤ検出区域ＤＺ２〜ＤＺ４がそれぞれＲＦＩＤ周波数帯域で動作するＲＦＩＤ検出区域を含んでいてもよい。その結果、ＥＡＳ／ＲＦＩＤ識別ハードタグ２０内の要素の１つ、例えばＥ１がＥＡＳ要素を含んでおり、他の３つの要素Ｅ２〜Ｅ４がＲＦＩＤ要素を含んでいることになろう；ＲＦＩＤ要素Ｅ２〜Ｅ４は、それぞれのＲＦＩＤ検出区域ＤＺ２〜ＤＺ４において、ＲＦＩＤ周波数に一致する、それぞれのＲＦＩＤ周波数に調整されることになろう。図４Ｂに示したように、ＲＦＩＤリーダ１４Ａ〜１４Ｃは、それぞれのＲＦＩＤ周波数帯域に調整されたＲＦＩＤリーダである。したがって、タグ付けをされた商品Ａが、ＲＦＩＤ検出区域の１つへ入り、その内部を移動すれば、相応して調整されたＲＦＩＤ要素は、そのそれぞれのＲＦＩＤ検出区域内のそれぞれのリーダ１４Ａ〜１４Ｃと通信することができる。
【００２３】
検出区域ＤＺ２〜ＤＺ４がＲＦＩＤ検出区域ではなくＥＡＳ検出区域であったなら、それぞれのリーダ１４Ａ〜１４Ｃは送信機８／受信機９の対に置き替えられることになることは理解されるべきである。したがって、複数の区域検出システム３００／３００Ａ内部で作動可能な、ＥＡＳ／ＲＦＩＤ識別ハードタグ２０内の、様々なＥＡＳ／ＲＦＩＤ要素の組み合わせを含んでいることは、本発明２０の最も広い範囲内である。
【００２４】
図４Ａ〜４Ｂは、ほんの一例であることが理解されるべきである。本発明の範囲内には、以下にあげるような、様々な検出区域／ハードタグ要素の組み合わせがあるが、これらに限定されない：２つのＲＦＩＤ検出区域を伴う２つのＥＡＳ検出区域／２つのＲＦＩＤ要素を伴う２つのＥＡＳ要素；３つのＲＦＩＤ検出区域を伴う３つのＥＡＳ検出区域／３つのＲＦＩＤ要素を伴う３つのＥＡＳ要素、など。本発明の重要な特色は、あらゆる検出区域ＤＺｉに対して、ＥＡＳ／ＲＦＩＤ識別ハードタグ２０内に、対応する要素Ｅｉが存在していることである。
【００２５】
また、ＥＡＳ／ＲＦＩＤ識別ハードタグ２０の再使用可能な特性に起因して、タグ２０内に、どんな環境内にある検出区域よりも多くの要素Ｅが存在することも、本発明の最も広い範囲内であることが理解されるべきである。言い換えれば、タグ２０内の要素の数は、任意の１つの環境内の検出区域の数に一致している必要がない。例えば、ハードタグ２０は、各々が、上述された周波数帯域の１つにそれら自身の作動周波数を有している４つの要素を含んでいてもよい。初めに、タグ２０は、例えば、第１環境で使用される３つの検出区域周波数に一致する、３つの内部要素Ｅ２、Ｅ３、Ｅ４が用いられる３つの検出区域において、第１環境内で用いる商品へ結合されている。その後、商品は、第２要素Ｅ２に一致する周波数を使用する、他の検出区域が作動する（または、第２環境が、タグ２０内の他の要素Ｅ１、Ｅ３、Ｅ４のうちの１つに対応する他の周波数を用いる、他の検出区域も使用する）他の環境へ移送され、その後、タグ２０は第２環境で使用可能となる。したがって、タグ２０を異なる動作検出区域周波数を有する異なる環境内で使用可能にする、ハードタグ要素Ｅｉと検出区域ＤＺｉの他の組み合わせを含んでいることも、本発明の最も広い範囲内である。
【００２６】
図５は、本発明の第１実施例に従う、ＥＡＳ／ＲＦＩＤ識別ハードタグ２０の内部要素を示している。タグ２０は、ケーシングすなわちハウジングＨを含んでおり、ロック装置２１（例えば、チェックポイントシステム（Ｃｈｅｃｋｐｏｉｎｔ  Ｓｙｓｔｅｍ）社のＵＦＯスタイルのハードタグで用いられる、スプリング入り、ボール／クラッチロック装置）をさらに含んでいる。すでに議論したように、ＥＡＳ／ＲＰＩＤ識別ハードタグ２０は、さらに、ＥＡＳ／ＲＦＩＤ識別ハードタグ２０を商品Ａに取り付け可能にするヘッド２５およびピン２６を含む、取り外し可能部分２４を含んでいる。さらに、ＥＡＳ要素および／またはＲＦＩＤ要素の数が増加すると、ハウジングＨは、追加要素Ｅｎを収容する拡張部分２２５（図１１参照）を含んでいてもよい。
【００２７】
ほんの一例であるが、図５に最も明確に示されているように、タグ２０は、ＲＦＩＤ要素２８およびＥＡＳ要素３０を含んでいる。ＲＦＩＤ要素２８は、ハウジングＨの外側の縁の周りに延びるダイポールアンテナ３２を含んでいる。従来のＲＦＩＤチップ３４は、ダイポールアンテナ３２に取り付けられている。ＲＦＩＤチップ３４は、商品に関連する情報（例えば、通し番号や価格などの製品情報）によりプログラムされるメモリを含んでいる。ほんの一例であるが、ある適当なＲＦＩＤ要素２８は、コロンビア州メリーランドのマトリクス（Ｍａｔｒｉｃｓ）社から市販され、図７に示した部品番号ＳＤＲ−００１を有するダイポールアンテナとチップの組み合わせである（チップは裏側にあるので、図７には示されていない）。ほんの一例であるが、この部品番号ははめ込み1Ｄ中間ストリップである。ＲＦＩＤ要素２８は、ＲＦＩＤ  ＵＨＦバンド（８５０ＭＨｚ〜９５０ＭＨｚ）、例えば９１５ＭＨｚで動作する。ＥＡＳ要素３０（「ＥＡＳコイル」または「内側のコイル」とも呼ばれている）は、従来の設計のものであり、すでに議論したチェックポイントミニ（Ｃｈｅｃｋｐｏｉｎｔ‐ｍｉｎｉ）ＵＦＯタグ内のＥＡＳ共振回路と同様である。ＥＡＳ要素３０は、銅コイル３６、および表面実装コンデンサー３８を有しており、さらにＥＡＳ  ＲＦバンド（２ＭＨｚ〜１４ＭＨｚ）、例えば、８．２ＭＨｚで動作する。
【００２８】
すでに述べたように、ＵＦＯハードタグおよびミニＵＦＯハードタグは、現在、ＲＦＩＤ要素２８を有してない。こうしたタグへのＲＦＩＤ要素２８の追加は、こうしたタグの汎用性および機能性を高める。特定の設計配慮は、結合したＥＡＳ／ＲＦＩＤ識別ハードタグ２０の適切な機能に忠実でなければならない。
【００２９】
第１に、ＲＦＩＤ要素２８とＥＡＳ要素３０との間の相対的な間隔は、双方の要素の検出能力を最大にするよう、特定の方法で手配されるべきである。事実上、タグ部分の１つまたは双方の要素２８／３０は、相対的な間隔が特定の範囲外であるなら、全く機能しない場合もある。図６は、間に、両部分が最適の様態で機能するよう形作られた相対的間隔を有する部分の１つの配置を示している。
【００３０】
第２に、ＲＦＩＤ要素２８およびＥＡＳ要素３０は、互いに対して、およびロック装置２１に対して、適所に保持されなければならない。すなわち、ＥＡＳ要素３０（すなわち、いかなる浮動要素もない）に対して、または拡張部分２２５内に配置された任意の要素に対しても、ＲＦＩＤ要素２８の運動があってはならない。また、ＥＡＳ要素３０は、ハウジングＨの中央軸に対して「中央」に保持されるべきである。これらの条件の双方は、ハウジングＨ内部の適所で両方の部分をしっかりと保持（例えば、接着剤など）し、さらに、いずれの要素の電気特性をも妨害しない、任意の適当な技術を使用することによって達成可能である。
【００３１】
図８は、本発明の第２実施例に従う、ＥＡＳ／ＲＦＩＤ識別ハードタグ１２０の内部要素を示す。タグ１２０は、タグ１２０が、ＲＦＩＤコイル１３２および関連するＲＦＩＤチップモジュール１３４で作成されたＲＦＩＤ要素１２８を有しており、かつ、ＲＦＩＤ  ＲＦバンド（２ＭＨｚ〜１４ＭＨｚ）、例えば１３．５６ＭＨｚ、で共振する（動作する）点を除いては、タグ２０と同様である。また、図８のＲＦＩＤ要素１２８は、「ＲＦＩＤコイル」または「外部コイル」と呼ばれている場合もある。
【００３２】
図９は、タグ１２８の分解図を示している。ほんの一例として、ＲＦＩＤ要素１２８は、接着剤を用いてハウジングＨの下部部分に固定されていてもよく、さらに、ＥＡＳ要素３０は、また、接着剤を用いて、ハウジングＨの上部部分に固定されていてもよく、それにより、これらの２つの要素がすでに言及した相対的な間隔で維持される。
【００３３】
すでに述べたように、本発明の範囲（第１実施例および第２実施例を含む）は、上述した特定の要素に限定されず、さらに、（他の長さおよび幅のダイポールアンテナを含む）他のタイプのＲＦＩＤ要素、ＥＡＳ要素、他のＲＦ周波数およびＥＡＳ周波数、および様々なハウジング設計を含む。
【００３４】
本発明の好適な実施例は、結合したＥＡＳ／ＲＦＩＤ識別ハードタグを提供する。しかしながら、本発明の範囲はまた、少なくとも以下の代替的実施例を含んでいる：
１．ＲＦＩＤ要素２８、１２８、２０２（マイクロ波）などとしてすでに示したものなどの、単一のＲＦＩＤ要素（図１０Ａ）を有しているが、それらに限定されないハードタグ。この代替的実施例の１つのバージョンは、図６、図８、および図９に示したＥＡＳ要素３０を単に排除している。
２．ＥＡＳ要素を伴う（図１０Ｂ）、またはＥＡＳ要素を伴わない（図１０Ｃ）ＲＦＩＤ要素２８、１２８、２０２（マイクロ波）などとしてすでに示したものなどの（異なる共振周波数を伴う）複数のＲＦＩＤ要素を有しているが、それらに限定されないハードタグ。
３．図１１に示したように、複数のＥＡＳ要素および複数のＲＦＩＤ要素を有するハードタグ。特に、ハードタグは、音響磁気（ＡＭ）要素２０４（例えば、磁気バイアスストリップと組み合わされた磁気制限要素―図１１参照）と同様に、マイクロ波要素２０２を収容する拡張部分２２５を含んでいてもよい。したがって、複数のＥＡＳ要素は、コイル３６／コンデンサー３８およびＡＭ要素２０４により形成され、一方、ＲＦＩＤ要素はＲＦＩＤＩＣ３４／コイル１３２およびマイクロ波要素２０２により形成される。同様に、図示されていないが、ＡＭ要素と同様であるものの、ＬＦバンド内での周波数応答を提供する低周波数（ＬＦ）要素は、ＬＦ周波数帯域でのＥＡＳ動作を提供するために拡張部分２２５内に配置可能である。
４．（異なる共振周波数を伴う）複数のＥＡＳ要素を有し、ＲＦＩＤ要素を有しないハードタグ。このようにして、一例として、ハードタグは、音響磁気要素２０４と共にコイル３６／コンデンサー３８回路を含んでいる場合もあり、それにより、少なくとも２つのＥＡＳ動作周波数を伴うＥＡＳハードタグを形成している。
【００３５】
本発明の広い概念から逸脱することなく、すでに説明された実施例に対して変更をなし得ることは当業者により理解されるであろう。したがって、本発明は、開示された特定の実施例に限定されないことが理解され、本発明の趣旨および範囲内で変更をカバーすることが意図される。
【図面の簡単な説明】
【００３６】
【図１】従来技術に係る商品に取り付けられた再使用可能なＥＡＳハードタグを表す図である。
【図２】従来技術に係るＥＡＳタグ用の送信機／受信機システムを表す図である。
【図３】従来技術に係るＲＦＩＤタグリーダシステムを表す図である。
【図３Ａ】ＲＦＩＤ要素の一部を形成する典型的な共振回路を表す図である。
【図３Ｂ】ＲＦＩＤ要素の一部を形成する典型的なアンテナを表す図である。
【図４】本発明に係るハードタグの機能説明図である。
【図４Ａ】典型的な２区域タグ検出システムを表す平面図である。
【図４Ｂ】他の典型的な複数区域タグ検出システムを表す環境の平面図である。
【図５】部分的断面図で表され、さらにそれがどのようにして商品に付けられているかを示す部分断面で表された、結合されたＥＡＳおよびＲＦＩＤハードタグのための本発明の第１実施例を表す図である。
【図６】ハウジングの下部部分の内部に位置決めされたＥＡＳ要素およびＲＦＩＤ要素を示すために、ハウジングのトップ部分が取り外された第１実施例の平面図である。
【図７】ＲＦＩＤ  ＩＣおよびダイポールアンテナを示す本発明のＲＦＩＤ要素を表す図である。
【図８】ハウジングの下部部分の内部に位置決めされたＥＡＳ要素およびＲＦＩＤ要素を示すために、ハウジングのトップ部分が取り外された第２実施例の平面図である。
【図９】取り外し可能部分が省略されている本発明の第２実施例の分解図である。
【図１０Ａ】ＲＦＩＤ要素のみを含む本発明のハードタグの第３実施例を示す図である。
【図１０Ｂ】複数のＲＦＩＤ要素を含む本発明のハードタグの第４実施例を示す図である。
【図１０Ｃ】ＥＡＳ要素および複数のＲＦＩＤ要素を含む本発明のハードタグの第５実施例を示す図である。
【図１１】そこに複数のＥＡＳおよび複数のＲＦＩＤ要素を表す本発明のハードタグの第６実施例を示す図である。
【図１】
2007504572.tif 000004
【図２】
2007504572.tif 000005
【図３】
2007504572.tif 000006
【図３Ａ】
2007504572.tif 000007
【図３Ｂ】
2007504572.tif 000008
【図４】
2007504572.tif 000009
【図４Ａ】
2007504572.tif 000010
【図４Ｂ】
2007504572.tif 000011
【図５】
2007504572.tif 000012
【図６】
2007504572.tif 000013
【図７】
2007504572.tif 000014
【図８】
2007504572.tif 000015
【図９】
2007504572.tif 000016
【図１０Ａ】
2007504572.tif 000017
【図１０Ｂ】
2007504572.tif 000018
【図１０Ｃ】
2007504572.tif 000019
【図１１】
2007504572.tif 000020
【手続補正書】
【提出日】平成18年1月18日(2006.1.18)
【手続補正１】
【補正対象書類名】特許請求の範囲
【補正対象項目名】全文
【補正方法】変更
【補正の内容】
【特許請求の範囲】
【請求項１】
商品と共に使用するよう適合された識別タグであって、少なくとも１つの電子商品監視（ＥＡＳ）要素と少なくとも１つの無線識別（ＲＦＩＤ）要素とを含むハウジングを備え、前記少なくとも１つのＥＡＳ要素は、第１ＥＡＳ周波数帯域内の周波数の電磁場に晒されると第１検出可能信号を放出し、前記少なくとも１つのＲＦＩＤ要素は、第１ＲＦＩＤ周波数帯域内の周波数の電磁場に晒されると第２検出可能信号を放出する、ことを特徴とする識別タグ。
【請求項２】
前記第１ＲＦＩＤ周波数帯域が、およそ２ＭＨｚ〜１４ＭＨｚであることを特徴とする請求項１の識別タグ。
【請求項３】
前記第１ＲＦＩＤ周波数帯域が、およそ８５０ＭＨｚ〜９５０ＭＨｚであることを特徴とする請求項１の識別タグ。
【請求項４】
前記第１ＲＦＩＤ周波数帯域が、およそ２．３ＧＨｚ〜２．６ＧＨｚであることを特徴とする請求項１の識別タグ。
【請求項５】
前記第１ＥＡＳ周波数帯域が、およそ２ＭＨｚ〜１４ＭＨｚであることを特徴とする請求項１の識別タグ。
【請求項６】
前記第１ＥＡＳ周波数帯域が、およそ５０ｋＨｚ〜７０ｋＨｚであることを特徴とする請求項１の識別タグ。
【請求項７】
前記第１ＥＡＳ周波数帯域が、およそ５ｋＨｚ〜１４ｋＨｚであることを特徴とする請求項１の識別タグ。
【請求項８】
前記少なくとも１つのＲＦＩＤ要素が、商品に関連する情報を含むメモリを含み且つ共振回路またはアンテナに結合されたＲＦＩＤ集積回路を備えていることを特徴とする請求項１の識別タグ。
【請求項９】
前記第２検出可能信号が、商品と関連する前記情報を含んでいることを特徴とする請求項８の識別タグ。
【請求項１０】
前記アンテナが、ダイポールアンテナを備えていることを特徴とする請求項８の識別タグ。
【請求項１１】
前記共振回路が、コイルおよびコンデンサーを備えていることを特徴とする請求項８の識別タグ。
【請求項１２】
前記少なくとも１つのＥＡＳ要素が、コイルおよびコンデンサーを備えていることを特徴とする請求項５の識別タグ。
【請求項１３】
前記少なくとも１つのＥＡＳ要素が、音響磁気（ＡＭ）要素を備えていることを特徴とする請求項６の識別タグ。
【請求項１４】
前記少なくとも１つのＥＡＳ要素が、低周波数要素を備えていることを特徴とする請求項７の識別タグ。
【請求項１５】
前記ハウジングが、
取り外し可能部分と；
リリース可能な形で前記ハウジングと前記取り外し可能部分を一緒に固定し、識別タグを商品に固定する、リリース可能固定機構と、
を更に備えていることを特徴とする請求項１の識別タグ。
【請求項１６】
前記少なくとも１つのＥＡＳ要素と前記少なくとも１つのＲＦＩＤ要素とが、互いに対して同心円状に位置決めされていることを特徴とする請求項１０の識別タグ。
【請求項１７】
商品と共に使用されるよう適合された識別タグであって：
各々が商品に関連する情報を含むメモリを含むＲＦＩＤ集積回路を有する少なくとも２つの無線識別（ＲＦＩＤ）要素であって、前記対の各々の１つがそれぞれのＲＦ周波数に調整された共振回路またはアンテナを有するＲＦＩＤ要素を含むハウジングを備え；
前記ＲＦＩＤ要素の各々は、前記それぞれのＲＦ周波数の１つに一致するそれぞれの電磁場に晒されると、それぞれの検出可能信号を放出する、
ことを特徴とする識別タグ。
【請求項１８】
前記それぞれのＲＦ周波数の各々の１つが、異なるグループのＲＦ周波数から選択されており、前記異なるグループのＲＦ周波数は、およそ２ＭＨｚ〜１４ＭＨｚとして定義される第１グループ、およそ８５０ＭＨｚ〜９５０ＭＨｚとして定義される第２グループ；および、およそ２．３ＧＨｚ〜２．６ＧＨｚとして定義される第３グループを含んでいることを特徴とする請求項１７の識別タグ。
【請求項１９】
前記それぞれの検出可能信号の各々が、商品に関連する前記情報を含んでいることを特徴とする請求項１８の識別タグ。
【請求項２０】
前記ハウジングが、
取り外し可能部分と；
リリース可能な形で前記ハウジングと前記取り外し可能部分を一緒に固定し、前記識別タグを商品に固定する、リリース可能固定機構と、
を更に備えていることを特徴とする請求項１７の識別タグ。
【請求項２１】
商品と共に使用するよう適合された識別タグであって：
無線識別（ＲＦＩＤ）要素であって、第１ＲＦ周波数に調整された共振回路、または前記第１ＲＦ周波数と異なる第２ＲＦ周波数に調整されたアンテナのいずれかを含んでおり、商品に関連する情報を含むメモリを有する集積回路を備えたＲＦＩＤ要素と；
取り外し可能部分と；
リリース可能な形で前記ハウジングと前記取り外し可能部分を一緒に固定し、前記識別タグを商品に固定する、リリース可能な固定機構と；を備え、さらに、
前記ＲＦＩＤ要素は、前記第１または第２ＲＦ周波数に一致する電磁場に晒されるとそれぞれの検出可能信号を放出し、前記それぞれの検出可能信号は商品に関する前記情報を含んでいる、
ことを特徴とする識別タグ。
【請求項２２】
前記ＲＦＩＤ共振回路が、およそ２ＭＨｚ〜１４ＭＨｚの周波数に調整されていることを特徴とする請求項２１の識別タグ。
【請求項２３】
前記ＲＦＩＤアンテナが、およそ８５０ＭＨｚ〜９５０ＭＨｚの周波数に調整されたダイポールアンテナであることを特徴とする請求項２１の識別タグ。
【請求項２４】
前記ＲＦＩＤアンテナが、およそ２．３ＧＨｚ〜２．６Ｇｈｚの周波数に調整されたダイポールアンテナであることを特徴とする請求項２１の識別タグ。
【請求項２５】
商品と共に使用するよう適合された識別タグであって：少なくとも２つの電子商品監視（ＥＡＳ）要素を含むハウジングを備え、各ＥＡＳ要素はそれぞれのＥＡＳ周波数に調整されており、前記ＥＡＳ要素の各々は、前記それぞれのＥＡＳ周波数の１つに一致するそれぞれの電磁場に晒されると、それぞれの検出可能信号を放出する、ことを特徴とする識別タグ。
【請求項２６】
前記それぞれのＥＡＳ周波数の各々の１つが、異なるグループのＥＡＳ周波数から選択され、前記異なるグループのＥＡＳ周波数は、およそ２ＭＨｚ〜１４ＭＨｚとして定義される第１グループ、およそ５０ｋＨｚ〜７０ｋＨｚとして定義される第２グループおよび、およそ５ｋＨｚ〜１４ｋＨｚとして定義される第３グループを含んでいる、ことを特徴とする請求項２５の識別タグ。
【請求項２７】
前記少なくとも２つのＥＡＳ要素のうちの１つが、前記第１グループ内のＥＡＳ周波数に調整された共振回路を含んでいることを特徴とする請求項２６の識別タグ。
【請求項２８】
前記少なくとも２つのＥＡＳ要素が、音響磁気（ＡＭ）の要素を含んでおり、ここで、前記ＡＭ要素が第２グループ内のＥＡＳ周波数に調整されていることを特徴とする請求項２６の識別タグ。
【請求項２９】
前記少なくとも２つのＥＡＳ要素が、低周波数（ＬＦ）要素を含んでおり、ここで、前記ＬＦ要素が第３グループ内のＥＡＳ周波数に調整されていることを特徴とする請求項２６の識別タグ。
【請求項３０】
前記ハウジングが、
取り外し可能部分と；
リリース可能な形で前記ハウジングと前記取り外し可能部分を一緒に固定し、前記識別タグを商品に固定する、リリース可能な固定機構と、
を更に備えていることを特徴とする請求項２５の識別タグ。
【請求項３１】
環境内の再使用可能な識別タグを検出するシステムであって：
それぞれの周波数に調整された少なくとも２つの要素を有する少なくとも１つの再使用可能な識別タグであって、商品に結合されており、前記第１要素は第１周波数の電磁場に晒されると第１検出可能信号を放出し、前記第２要素は、前記第１周波数と異なる第２周波数の電磁場に晒されると第２検出可能信号を放出する、少なくとも１つの再使用可能な識別タグと；
前記第１周波数の電磁場を放出する第１送信機を少なくとも備えた環境内部の第１検出区域であって、前記第１検出区域に前記少なくとも１つの再使用可能な識別タグが存在していると、前記第１検出可能信号を検出する第１受信機を少なくとも含み、前記第１受信機はアラームまたはデータベースへ結合されている、環境内部の第１検出区域と；
前記第２周波数の電磁場を放出する第２送信機を少なくとも備えた環境内部の第２検出区域であって、前記第２検出区域に前記少なくとも１つの再使用可能な識別タグが存在していると、前記第２検出可能信号を検出する第２受信機を少なくとも含み、前記第２受信機はアラームまたはデータベースに結合されている、環境内部の第１検出区域と、
を備えていることを特徴とするシステム。
【請求項３２】
前記第１周波数が、およそ２ＭＨｚ〜１４ＭＨｚの周波数であることを特徴とする請求項３１のシステム。
【請求項３３】
前記第１周波数が、およそ８５０ＭＨｚ〜９５０ＭＨｚの周波数であることを特徴とする請求項３１のシステム。
【請求項３４】
前記第１周波数が、およそ２．３ＧＨｚ〜２．６Ｇｈｚの周波数であることを特徴とする請求項３１のシステム。
【請求項３５】
前記第１周波数が、およそ５０ｋＨｚ〜７０ｋＨｚの周波数であることを特徴とする請求項３１のシステム。
【請求項３６】
前記第１周波数が、およそ５ｋＨｚ〜１４ｋＨｚの周波数であることを特徴とする請求項３１のシステム。
【請求項３７】
前記第２周波数が、およそ２ＭＨｚ〜１４ＭＨｚの周波数であることを特徴とする請求項３１のシステム。
【請求項３８】
前記第２周波数が、およそ８５０ＭＨｚ〜９５０ＭＨｚの周波数であることを特徴とする請求項３１のシステム。
【請求項３９】
前記第２周波数が、およそ２．３ＧＨｚ〜２．６ＧＨｚの周波数であることを特徴とする請求項３１のシステム。
【請求項４０】
前記第２周波数が、およそ５０ｋＨｚ〜７０ｋＨｚの周波数であることを特徴とする請求項３１のシステム。
【請求項４１】
前記第２周波数が、およそ５ｋＨｚ〜１４ｋＨｚの周波数であることを特徴とする請求項３１のシステム。
【請求項４２】
前記少なくとも２つの要素が、各々が商品に関連する情報を含むメモリを備えたＲＦＩＤ集積回路を有する１対の無線識別（ＲＦＩＤ）要素を含んでいてもよく、前記対のＲＦＩＤ要素のうちの一方が、前記第１周波数に調整されたそれぞれの共振回路またはアンテナを備えており、前記対のＲＦＩＤ要素のうちの他方が、前記第２周波数に調整されたそれぞれの共振回路またはアンテナを備えていることを特徴とする請求項３１のシステム。
【請求項４３】
前記少なくとも２つの要素が１対の電子商品監視（ＥＡＳ）要素を含んでいてもよく、前記対のＥＡＳ要素の一方が前記第１周波数に調整され、前記対のＥＡＳ要素の他方が前記第２周波数に調整されていることを特徴とする請求項３１のシステム。
【請求項４４】
前記少なくとも２つの要素が、１つの無線識別（ＲＦＩＤ）要素および１つの電子商品監視（ＥＡＳ）要素を含んでいてもよく、前記ＲＦＩＤ要素は、商品に関連する情報を含むメモリを包括するＲＦＩＤ集積回路を備えており、前記第１周波数に調整された共振回路またはアンテナをさらに備え、前記ＥＡＳ要素が前記第２周波数に調整されていることを特徴とする請求項３１のシステム。
【請求項４５】
再使用可能な識別タグの検出方法であって：
それぞれの周波数に調整された少なくとも２つの要素を有する、少なくとも１つの再使用可能な識別タグを提供するステップであって、前記少なくとも１つの再使用可能な識別タグは商品に結合されており、前記第１要素は第１周波数の電磁場に晒されると第１検出可能信号を放出し、前記第２要素は前記第１周波数と異なる第２周波数の電磁場に晒されると第２検出可能信号を放出する、ステップと、；
前記少なくとも１つの再使用可能な識別タグが第１検出区域に存在し、さらに、少なくとも第１送信機が前記第１検出区域内で前記第１周波数の電磁場を放出する場合に、前記第１検出可能信号を放出するときはいつでも、少なくとも第１受信機により、前記第１検出可能信号を検出するステップと；
前記第１検出可能信号が検出されると、前記第１受信機によりアラームを作動させるか、または、状態信号あるいはデータを前記第１受信機からデータベースへ送信するステップと；
前記少なくとも１つの再使用可能な識別タグが第２検出区域に存在し、さらに、少なくとも第２送信機が前記第２検出区域内で前記第２周波数の電磁場を放出する場合に、前記第２検出可能信号を放出するときはいつでも、少なくとも第２受信機により、前記第２検出可能信号を検出するステップ；および、
前記第２検出可能信号が検出されると、前記第２受信機により前記アラームを作動させ、または、状態信号あるいはデータを前記第２受信機から前記データベースへ送信するステップ、
を備えることを特徴とする方法。
【請求項４６】
前記第１周波数が、およそ２ＭＨｚ〜１４ＭＨｚの周波数であることを特徴とする請求項４５の方法。
【請求項４７】
前記第１周波数が、およそ８５０ＭＨｚ〜９５０ＭＨｚの周波数であることを特徴とする請求項４５の方法。
【請求項４８】
前記第１周波数が、およそ２．３ＧＨｚ〜２．６ＧＨｚの周波数であることを特徴とする請求項４５の方法。
【請求項４９】
前記第１周波数が、およそ５０ｋＨｚ〜７０ｋＨｚの周波数であることを特徴とする請求項４５の方法。
【請求項５０】
前記第１周波数が、およそ５ｋＨｚ〜１４ｋＨｚの周波数であることを特徴とする請求項４５の方法。
【請求項５１】
前記第２周波数が、およそ２ＭＨｚ〜１４ＭＨｚの周波数であることを特徴とする請求項４５の方法。
【請求項５２】
前記第２周波数が、およそ８５０ＭＨｚ〜９５０ＭＨｚの周波数であることを特徴とする請求項４５の方法。
【請求項５３】
前記第２周波数が、およそ２．３ＧＨｚ〜２．６Ｇｈｚの周波数であることを特徴とする請求項４５の方法。
【請求項５４】
前記第２周波数が、およそ５０ｋＨｚ〜７０ｋＨｚの周波数であることを特徴とする請求項４５の方法。
【請求項５５】
前記第２周波数が、およそ５ｋＨｚ〜１４ｋＨｚの周波数であることを特徴とする請求項４５の方法。
【請求項５６】
前記少なくとも２つの要素が、各々が商品に関連する情報を含むメモリを備えたＲＦＩＤ集積回路を有する１対の無線識別（ＲＦＩＤ）要素を含んでいてもよく、前記対のＲＦＩＤ要素のうちの一方が、前記第１周波数に調整されたそれぞれの共振回路またはアンテナを備えており、前記対のＲＦＩＤ要素のうちの他方が、前記第２周波数に調整されたそれぞれの共振回路またはアンテナを備えている、ことを特徴とする請求項４５の方法。
【請求項５７】
前記少なくとも２つの要素が１対の電子商品監視（ＥＡＳ）要素を含んでいてもよく、前記対のＥＡＳ要素の一方が前記第１周波数に調整され前記対のＥＡＳ要素の他方が前記第２周波数に調整されている、ことを特徴とする請求項４５の方法。
【請求項５８】
前記少なくとも２つの要素が、１つの無線識別（ＲＦＩＤ）要素および１つの電子商品監視（ＥＡＳ）要素を備えており、前記ＲＦＩＤ要素は、商品に関連する情報を含むメモリを備えたＲＦＩＤ集積回路を有し、さらに前記第１周波数に調整された共振回路またはアンテナを備え、前記ＥＡＳ要素が前記第２周波数に調整されている、ことを特徴とする請求項４５の方法。
【請求項５９】
少なくとも２つの環境内の再使用可能な識別タグを検出するシステムであって：
それぞれの周波数に調整された少なくとも２つの要素を有する、少なくとも１つの再使用可能な識別タグであって、商品に結合されており、前記第１要素は第１周波数の電磁場に晒されると第１検出可能信号を放出し、前記第２要素は前記第１周波数と異なる第２周波数の電磁場に晒されると第２検出可能信号を放出する、少なくとも１つの再使用可能な識別タグと；
前記第１周波数の電磁場を放出する第１送信機を少なくとも備えた環境内部の第１検出区域であって、前記第１検出区域に前記少なくとも１つの再使用可能な識別タグが存在していると、前記第１検出可能信号を検出する第１受信機を少なくとも有し、前記第１受信機はアラームまたはデータベースへ結合されている、環境内部の第１検出区域と；
前記第２周波数の電磁場を放出する第２送信機を少なくとも備えた環境内部の第２検出区域であって、前記第２検出区域に前記少なくとも１つの再使用可能な識別タグが存在していると、前記第２検出可能信号を検出する第２受信機を少なくとも有し、前記第２受信機はアラームまたはデータベースに結合されている、環境内部の第１検出区域と、
を備えていることを特徴とするシステム。
【請求項６０】
前記第１環境が動作周波数を有する第３検出区域を有しており、前記少なくとも１つの再使用可能な識別タグが前記動作周波数に調整された第３要素を備えている、ことを特徴とする請求項５９のシステム。
【請求項６１】
前記第２環境が他の動作周波数を有する第４検出区域を有しており、前記少なくとも１つの再使用可能な識別タグが前記他の動作周波数に調整された第４要素を備えている、ことを特徴とする請求項６０のシステム。
【請求項６２】
少なくとも２つの環境で再使用可能な識別タグを検出する方法であって：
それぞれの周波数に調整された少なくとも２つの要素を有する、少なくとも１つの再使用可能な識別タグを提供するステップであって、前記少なくとも１つの再使用可能な識別タグは商品に結合されており、前記第１要素は第１周波数の電磁場に晒されると第１検出可能信号を放出し、前記第２要素は前記第１周波数と異なる第２周波数の電磁場に晒されると、第２検出可能信号を放出する、ステップと；
前記少なくとも１つの再使用可能な識別タグが第１環境の第１検出区域に存在し、さらに、少なくとも第１送信機が前記第１検出区域内で前記第１周波数の電磁場を放出する場合に、前記第１検出可能信号を放出するときはいつでも、少なくとも第１受信機により、前記第１検出可能信号を検出するステップと；
前記第１検出可能信号が検出されると、前記第１受信機によりアラームを作動させるか、または、状態信号あるいはデータを前記第１受信機からデータベースへ送信するステップと；
前記少なくとも１つの再使用可能な識別タグが第２環境内の第２検出区域に存在し、さらに、少なくとも第２送信機が前記第２検出区域内で前記第２周波数の電磁場を放出する場合に、前記第２検出可能信号を放出するときはいつでも、少なくとも第２受信機により、前記第２検出可能信号を検出するステップと；および、
前記第２検出可能信号が検出されると、前記第２受信機により前記アラームを作動させるか、または、状態信号あるいはデータを前記第２受信機から前記データベースへ送信するステップと、
を備えることを特徴とする方法。
【請求項６３】
前記第１環境が動作周波数を有する第３検出区域を有しており、前記少なくとも１つの再使用可能な識別タグが前記動作周波数に調整された第３要素を備えている、ことを特徴とする請求項６２の方法。
【請求項６４】
前記第２環境が他の動作周波数を有する第４検出区域を有しており、前記少なくとも１つの再使用可能な識別タグが前記他の動作周波数に調整された第４要素を備えている、ことを特徴とする請求項６２の方法。
【請求項６５】
それぞれの周波数に調整された少なくとも１つの送信機／受信機の対を有する、少なくとも１つの環境での使用のための、各々がそれぞれの周波数に調整された、複数の要素を含む識別タグであって、前記少なくとも１つの送信機／受信機の対の周波数に調整された、少なくとも１つの要素を備えている、ことを特徴とする識別タグ。
【請求項６６】
前記少なくとも１つのＥＡＳ要素および前記少なくとも１つのＲＦＩＤ要素が、前記ハウジング内で互いに同心円状に方向付けされている、ことを特徴とする請求項１の識別タグ。
【請求項６７】
前記少なくとも２つのＲＦＩＤ要素が、前記ハウジング内で互いに同心円状に方向付けられている、ことを特徴とする請求項１７の識別タグ。
【請求項６８】
前記ＲＦＩＤ要素が、前記ハウジングの中央の周りで円形に方向付けられて配置されている、ことを特徴とする請求項２１の識別タグ。
【請求項６９】
前記少なくとも２つのＥＡＳ要素が、前記ハウジング内で互いに同心円状に方向付けられている、ことを特徴とする請求項２５の識別タグ。
【国際調査報告】
2007504572.tif 000021
2007504572.tif 000022
2007504572.tif 000023